(57)【要約】【課題】従来の充電装置では手動スイッチを採用しているため、使用して後、スイッチをオフにするのをうっかり忘れてしまうことが少なくないが、放電量が多ければ、ユーザーがいざ充電したいと思って充電装置を取り出しても、充電できない事態に陥ることになる。【解決手段】蓋体１１に設けられた押圧部１５と、蓋体１１を閉じると押圧部１５によって押圧され、且つ蓋体１１を開くと押圧部１５による押圧が解除される被押圧部１９と、コネクタープラグ９に電気的に接続された電極３７と、一端が乾電池５に接続されたバネ電極２９とを有し、バネ電極２９は被押圧部１９が押圧された状態では弾性変形し、他端３５が電極３７と離間して乾電池５とコネクタープラグ９とを電気的に遮断し、押圧が解除されると復元して、他端３５が電極３７と接触して乾電池５とコネクタープラグ９とを電気的に接続する。【選択図】        図１
2007318886.tif 000002
【特許請求の範囲】
【請求項１】
バッテリーが収容される本体ケースと、前記本体ケースに備えられ携帯電話機の充電用の被接続部に接続される接続部と、前記接続部を開放する状態と覆う状態とに開閉できる蓋体とを有する携帯電話機用の充電装置において、前記蓋体を開いて接続部が開放された状態にすると前記バッテリーと前記接続部とを電気的に接続し、且つ前記蓋体を閉じて接続部が覆われた状態にすると前記バッテリーと前記接続部とを電気的に遮断する自動切換え手段とを備えたことを特徴とする携帯電話機用の充電装置。
【請求項２】
請求項１に記載した携帯電話機用の充電装置において、自動切換え手段は、蓋体に設けられた押圧部と、前記蓋体を閉じると前記押圧部によって押圧され、且つ前記蓋体を開くと前記押圧部による押圧が解除される被押圧部と、前記被押圧部が押されるとバッテリーと接続部とを電気的に遮断し、押圧部による被押圧部に対する押圧が解除されるとバッテリーと接続部とを電気的に接続するスイッチ手段とを備えたことを特徴とする携帯電話機用の充電装置。
【請求項３】
請求項２に記載した携帯電話機用の充電装置において、スイッチ手段は接続部に電気的に接続された電極と、一端がバッテリーに接続され、導電性材料によって構成されたバネとを有し、前記バネは被押圧部が押圧部によって押圧された状態では被押圧部によって押されて弾性変形し、他端が前記電極と離間して前記バッテリーと前記接続部とを電気的に遮断し、前記バネは押圧部による被押圧部に対する押圧が解除されると復元して、他端が前記電極と接触して前記バッテリーと前記接続部とを電気的に接続することを特徴とする携帯電話機用の充電装置。
【請求項４】
請求項１から３のいずれかに記載した携帯電話機用の充電装置において、バッテリーは乾電池であることを特徴とする携帯電話機用の充電装置。
【発明の詳細な説明】
【技術分野】
【０００１】
本発明は携帯電話機用の充電装置に係り、特に乾電池等のバッテリーを用いる携帯型の携帯電話機用の充電装置に関するものである。
【背景技術】
【０００２】
近年の携帯電話機は通話機能だけでなく、カメラやメール機能が備えられるなど、多機能化しており、使用電力も多くなっている。従って、上記のように多機能化した携帯電話機を外出中に長時間に渡って使用すると、携帯電話機がバッテリー切れを起こしてしまう。
また、外出前に、バッテリーへの充電をうっかり忘れてしまうこともある。
【０００３】
そこで、携帯電話機とは別体の乾電池等を用いた携帯型の充電装置が登場してきている。この充電装置には乾電池の放電を防止するための手動スイッチが設けられている。即ち、充電を行う際にはスイッチをオンにしてから、充電装置の接続部を携帯電話機の被接続部に接続して充電を行い、非使用時にはスイッチをオフにし、乾電池と接続部とを電気的に遮断して、乾電池の無駄な放電を防止しようとしている。
【発明の開示】
【発明が解決しようとする課題】
【０００４】
上記従来の充電装置では手動スイッチを採用しているため、使用して後、スイッチをオフにするのをうっかり忘れてしまうことが少なくないが、放電量が多ければ、ユーザーがいざ充電したいと思って充電装置を取り出しても、充電できない事態に陥ることになる。
本発明は上記従来の問題点に着目して為されたものであり、使用して後、乾電池等のバッテリーの無駄な放電を防止するためのスイッチを確実にオフすることができる携帯電話機用の充電装置を提供することを、その目的とする。
【課題を解決するための手段】
【０００５】
本発明は上記課題を解決するためになされたものであり、請求項１の発明は、  バッテリーが収容される本体ケースと、前記本体ケースに備えられ携帯電話機の充電用の被接続部に接続される接続部と、前記接続部を開放する状態と覆う状態とに開閉できる蓋体とを有する携帯電話機用の充電装置において、前記蓋体を開いて接続部が開放された状態にすると前記バッテリーと前記接続部とを電気的に接続し、且つ前記蓋体を閉じて接続部が覆われた状態にすると前記バッテリーと前記接続部とを電気的に遮断する自動切換え手段とを備えたことを特徴とする携帯電話機用の充電装置である。
【０００６】
請求項２の発明は、請求項１に記載した携帯電話機用の充電装置において、自動切換え手段は、蓋体に設けられた押圧部と、前記蓋体を閉じると前記押圧部によって押圧され、且つ前記蓋体を開くと前記押圧部による押圧が解除される被押圧部と、前記被押圧部が押されるとバッテリーと接続部とを電気的に遮断し、押圧部による被押圧部に対する押圧が解除されるとバッテリーと接続部とを電気的に接続するスイッチ手段とを備えたことを特徴とする携帯電話機用の充電装置である。
【０００７】
請求項３の発明は、請求項２に記載した携帯電話機用の充電装置において、スイッチ手段は接続部に電気的に接続された電極と、一端がバッテリーに接続され、導電性材料によって構成されたバネとを有し、前記バネは被押圧部が押圧部によって押圧された状態では被押圧部によって押されて弾性変形し、他端が前記電極と離間して前記バッテリーと前記接続部とを電気的に遮断し、前記バネは押圧部による被押圧部に対する押圧が解除されると復元して、他端が前記電極と接触して前記バッテリーと前記接続部とを電気的に接続することを特徴とする携帯電話機用の充電装置である。
【０００８】
請求項４の発明は、請求項１から３のいずれかに記載した携帯電話機用の充電装置において、バッテリーは乾電池であることを特徴とする携帯電話機用の充電装置である。
【発明の効果】
【０００９】
本発明の携帯電話機用の充電装置では、携帯電話機を充電した後は、乾電池等のバッテリーの無駄な放電を防止するためのスイッチを確実にオフすることができる。
【発明を実施するための最良の形態】
【００１０】
本発明の実施の形態に係る携帯電話機用の充電装置１を図面にしたがって説明する。
符号３は本体ケースを示し、この本体ケース３にはバッテリーとしての２本の単三の乾電池５が直列接続になるように収容されている。乾電池５間は図示しない短絡板によって短絡されている。
また、本体ケース３には回路部７（ＰＣＢ）が収容されており、この回路部７には昇圧回路８が含まれており、単三の乾電池５の出力電圧３Ｖを充電許容電圧である５．５Ｖまで昇圧することができるようになっている。
回路部７には接続部としてのコネクタープラグ９が接続されており、このコネクタープラグ９は本体ケース３の上面から突出している。コネクタープラグ９は携帯電話機４３の充電を含む、被接続部としての多用途用コネクター４５に適合する形状になっている。
【００１１】
本体ケース３には蓋体１１が備えられており、この蓋体１１は本体ケース３の側部に形成された支持部１３に回動自在に取り付けられている。従って、蓋体１１は図１、図４に示すようにコネクタープラグ９を開放する状態と、図２に示すようにコネクタープラグ９を覆う状態に開閉することができる。蓋体１１の内側面には押圧部１５が形成されており、この押圧部１５の先端は下方へ突出している。なお、押圧部１５と蓋体１１の内側面との間には補強片１７が設けられ、この補強片１７は押圧部１５と蓋体１１の内側面に対し一体に形成されている。
また、本体ケース３の表面には点灯部１８が設けられている。
【００１２】
符号１９は被押圧部を示し、この被押圧部１９は大径の円柱からなる本体部２１と、この本体部２１の上面に同軸状に形成された小径の円柱からなる先端部２３とから構成されている。本体部２１の下面には凹部２５が形成されている。
被押圧部１９の先端部２３は本体ケース３の上面に形成された丸穴２７に上下動自在に挿入されている。丸穴２７は蓋体１１を閉じると押圧部１５が入り込む位置に設けられている。
【００１３】
本体ケース３には、導電性材料によって構成されたバネ電極２９が収容されている。このバネ電極２９はトーションバネの形状になっており、本体ケース３に設けられた支持軸３１に支持されている。
バネ電極２９の一端部３３は斜め下方へ延び、最終的には乾電池５の（＋）側と導通している。他端部３５は斜め上方へ延びている。この他端部３５は被押圧部１９の下面に形成された凹部２５に嵌まり込む形状になっている。
符号３７は電極板を示し、この（＋）電極板３７は回路部７の（＋）側と導通している。
なお、乾電池５の（−）側は回路部７の（−）側と導通している。
【００１４】
この充電装置１側の充電経路３９は、乾電池５、バネ電極２９、電極板３７、回路部７、コネクタープラグ９により構成されている。
充電経路３９の途中には、抵抗などで構成される充電検出器４１が設けられており、この充電検出器４１は点灯部１８と接続されている。点灯部１８は充電検出器４１からの充電信号を受け取ると点灯する。
【００１５】
次にこの携帯電話機用の充電装置１の使用方法について説明する。
非使用時には、図２に示すように、蓋体１１により、コネクタープラグ９を覆う状態に閉じられる。この状態では、押圧部１５が丸穴２７に入り込んで、
被押圧部１９の先端部２３が押圧され、本体部２１が下降する。本体部２１の凹部２５にはバネ電極２９の他端部３５が嵌り込んでいるので、本体部２１が下降すると、本体部２１からバネ電極２９に力が加わり、バネ電極２９が弾性変形して、他端部３５が電極板３７から離間する。従って、乾電池５とコネクタープラグ９とが電気的に遮断される。
【００１６】
使用時、即ち充電時には、図４に示すように、蓋体１１が開かれて、コネクタープラグ９が露出する。この状態では、図５で矢印に示すように、押圧部１５による被押圧部１９の押圧が解除され、バネ電極２９が弾性変形前の状態に回復して、他端部３５は電極板３７に物理的に接触することになる。従って、乾電池５とコネクタープラグ９とが電気的に接続される。
この状態で、コネクタープラグ９に携帯電話機４３のコネクター４５が電気的に接続されと、乾電池５と携帯電話機４３の図示しないバッテリーとを結ぶ充電回路がＯＮになり、バッテリーが充電される。
また、点灯部１８が点灯して、充電中であることが表示される。
【００１７】
以上、本発明の実施の形態について詳述してきたが、具体的構成は、この実施の形態に限られるものではなく、本発明の要旨を逸脱しない範囲における設計の変更などがあっても発明に含まれる。
例えば、バネ電極の代わりに、上下動可能な電極板と固定された電極板を平行に配置し、トーションバネのような弾性手段により可動側の電極板を上下させることにより、固定された電極板と離間させたり、接触させたりしてもよい。
【産業上の利用可能性】
【００１８】
本発明の携帯電話機用の充電装置によれば、無駄な放電を確実に防止できるので、充電したいときに充電できないと言った不都合が無く、経済的且つ利便である。
【図面の簡単な説明】
【００１９】
【図１】本発明の実施の形態に係る携帯電話機用の充電装置の斜視図である。
【図２】図１の充電装置の非使用時の状態の説明図である。
【図３】図２の電気的接続状態の説明図である。
【図４】図１の充電装置の使用中（充電中）の状態の説明図である。
【図５】図４の電気的接続状態の説明図である。
【符号の説明】
【００２０】
１‥‥携帯電話機用の充電装置          ３‥‥本体ケース
５‥‥乾電池                          ７‥‥回路部
８‥‥昇圧回路                        ９‥‥コネクタープラグ
１１‥‥蓋体                          １３‥‥支持部
１５‥‥押圧部                        １７‥‥補強片
１８‥‥点灯部                        １９‥‥被押圧部
２１‥‥本体部                        ２３‥‥先端部
２５‥‥凹部                          ２７‥‥丸穴
２９‥‥バネ電極                      ３１‥‥支持軸
３３‥‥一端部                        ３５‥‥他端部
３７‥‥電極板                        ３９‥‥充電経路
４１‥‥充電検出器            
４３‥‥携帯電話機                    ４５‥‥コネクター
【図１】
2007318886.tif 000003
【図２】
2007318886.tif 000004
【図３】
2007318886.tif 000005
【図４】
2007318886.tif 000006
【図５】
2007318886.tif 000007